(57)【要約】【課題】本発明は、所定の案内情報をネットワークを介して接続される端末に提供するときにあって、ユーザに有用となる案内情報を効果的に提供できるようにする新たな案内情報提供技術の構築を目的とする。【解決手段】例えば、予備校などが自校の講師を紹介する場合には、講師の一覧を掲載するとともに、それぞれの講師に対応付けて、静的な情報の表示を指示するボタンと動的な情報の表示を指示するボタンとを有する選択画面を端末に表示する。この選択画面の表示を受けて、ユーザがある講師の静的な情報の表示を要求する場合には、その講師のプロフィールなどといったようなテキスト情報で構成される静的な情報を取得して端末に表示し、一方、ユーザがある講師の動的な情報の表示を要求する場合には、その講師が講義している光景などといったような動画像で構成される動的な情報を取得して端末に表示する。【選択図】　　　　　図１０
2004054533.tif 000002
【特許請求の範囲】
【請求項１】
所定の案内情報をネットワークを介して接続される端末に提供する案内情報提供システムであって、
案内情報の提供対象の一覧を掲載するとともに、それぞれの提供対象に対応付けて設けられて、テキストで構成される提供対象に関しての静的な情報の表示を指示するボタンと、それぞれの提供対象に対応付けて設けられて、動画像で構成される提供対象に関しての動的な情報の表示を指示するボタンとを有する選択画面を、上記端末に表示する手段と、
上記選択画面の表示に応答して、上記静的な情報の表示を指示するボタンが操作される場合に、そのボタンに対応付けられる提供対象に関しての上記静的な情報を取得して、上記端末に表示する手段と、
上記選択画面の表示に応答して、上記動的な情報の表示を指示するボタンが操作される場合に、そのボタンに対応付けられる提供対象に関しての上記動的な情報を取得して、上記端末に表示する手段とを備えることを、
特徴とする案内情報提供システム。
【請求項２】
請求項１記載の案内情報提供システムにおいて、
上記静的な情報の１つとして、案内情報の全提供対象が関係する表形式の情報の中のどの箇所に、対応付けられる提供対象が関係しているのかについて記述する情報を含むことを、
特徴とする案内情報提供システム。
【請求項３】
請求項１記載の案内情報提供システムにおいて、
案内情報の全提供対象が関係する表形式の情報を、上記端末に表示する手段と、
上記表形式の情報の表示に応答して、上記表形式の情報上のある箇所が選択される場合に、その箇所に関係する提供対象を特定する手段と、
上記特定した提供対象に関しての上記静的な情報の表示を指示するボタンと、その提供対象に関しての上記動的な情報の表示を指示するボタンとを有する画面を、上記端末に表示する手段とを備えることを、
特徴とする案内情報提供システム。
【請求項４】
所定の案内情報をネットワークを介して接続される端末に提供する案内情報提供方法であって、
案内情報の提供対象の一覧を掲載するとともに、それぞれの提供対象に対応付けて設けられて、テキストで構成される提供対象に関しての静的な情報の表示を指示するボタンと、それぞれの提供対象に対応付けて設けられて、動画像で構成される提供対象に関しての動的な情報の表示を指示するボタンとを有する選択画面を、上記端末に表示する過程と、
上記選択画面の表示に応答して、上記静的な情報の表示を指示するボタンが操作される場合に、そのボタンに対応付けられる提供対象に関しての上記静的な情報を取得して、上記端末に表示する過程と、
上記選択画面の表示に応答して、上記動的な情報の表示を指示するボタンが操作される場合に、そのボタンに対応付けられる提供対象に関しての上記動的な情報を取得して、上記端末に表示する過程とを備えることを、
特徴とする案内情報提供方法。
【請求項５】
請求項４記載の案内情報提供方法において、
上記静的な情報の１つとして、案内情報の全提供対象が関係する表形式の情報の中のどの箇所に、対応付けられる提供対象が関係しているのかについて記述する情報を含むことを、
特徴とする案内情報提供方法。
【請求項６】
請求項４記載の案内情報提供方法において、
案内情報の全提供対象が関係する表形式の情報を、上記端末に表示する過程と、
上記表形式の情報の表示に応答して、上記表形式の情報上のある箇所が選択される場合に、その箇所に関係する提供対象を特定する過程と、
上記特定した提供対象に関しての上記静的な情報の表示を指示するボタンと、その提供対象に関しての上記動的な情報の表示を指示するボタンとを有する画面を、上記端末に表示する過程とを備えることを、
特徴とする案内情報提供方法。
【請求項７】
請求項４ないし６のいずれか１項に記載の案内情報提供方法の実現に用いられる処理をコンピュータに実行させるための案内情報提供プログラム。
【請求項８】
請求項４ないし６のいずれか１項に記載の案内情報提供方法の実現に用いられる処理をコンピュータに実行させるための案内情報提供プログラムを記録した記録媒体。
【発明の詳細な説明】
【０００１】
【発明の属する技術分野】
本発明は、所定の案内情報をネットワークを介して接続される端末に提供する案内情報提供システムと、その案内情報提供システムの実現に用いられる案内情報提供方法と、その案内情報提供方法の実現に用いられる案内情報提供プログラムと、その案内情報提供プログラムを記録した記録媒体とに関する。
【０００２】
予備校や塾や英会話学校などの各種の学校では、インターネットを通じて、自校の案内情報を提供することで生徒を募集するようにしている。
【０００３】
このような案内情報を提供する場合には、それを閲覧するユーザに有用となる案内情報を効果的に提供できるようにしていく必要がある。
【０００４】
【従来の技術】
各種学校の案内情報の提供を具体例にして従来技術について説明するならば、従来の案内システムでは、Ｗｅｂブラウザを通じてユーザがアクセスし、画面を閲覧するものであって、内容的には、学校の施設や教育内容に関する文字による説明が主であり、特徴的な一部の事項（特徴的な設備、有名講師等）について静止画像を使って説明が補強されているだけであり、教育内容を動画像で紹介するようなことは行われていない。
【０００５】
たとえば、講師の紹介については、顔写真や簡単なプロフィールの紹介が文字で掲載されているだけであり、講義風景の動画像を見るというようなことはできなかった。
【０００６】
さらに、従来の案内情報の提供システムでは、講師と講義スケジュールといった、教育内容についての主要な構成要素間のリンクづけが十分になされていないために、ある講師の講義がいつ開講されているのかを知りたいとユーザが思ったときには、ユーザ自らの人的稼動により、表示されている講師名を媒介として結びつきを図るような行為を必要としていた。
【０００７】
【発明が解決しようとする課題】
しかしながら、従来の案内情報の提供システムでは、文字や静止写真による講師紹介をしているだけなので、生徒が事前にその講師の講義の仕方を具体的に把握することができないという問題があった。
【０００８】
その結果、生徒は実際に受講の申し込みを行った後（多くの場合、申し込みと同時に代金を支払うことになる）、講義を実際に受けるまで、その講義内容や講師の進め方が自分向きかどうかを判断する手がかりがほとんどないという問題があった。
【０００９】
こうした状況が原因となって、生徒が講義を欠席するようになることも珍しくなく、各種学校の立場から見ると、生徒の定着率低下という学校経営上の大きな問題の一因となっていた。
【００１０】
このように、従来の案内情報の提供システムに従っていると、ユーザに有用となる案内情報を効果的に提供できないという問題があった。
【００１１】
本発明はかかる事情に鑑みてなされたものであって、所定の案内情報をネットワークを介して接続される端末に提供するときにあって、ユーザに有用となる案内情報を効果的に提供できるようにする新たな案内情報提供技術の構築を目的とする。
【００１２】
【課題を解決するための手段】
この目的を達成するために、本発明の案内情報提供システムは、所定の案内情報をネットワークを介して接続される端末に提供するときにあって、▲１▼案内情報の提供対象の一覧を掲載する（好ましくは、提供対象に係る顔写真などのような静止画像を使ってその一覧を掲載する）とともに、それぞれの提供対象に対応付けて設けられて、テキストで構成される提供対象に関しての静的な情報の表示を指示するボタンと、それぞれの提供対象に対応付けて設けられて、動画像で構成される提供対象に関しての動的な情報の表示を指示するボタンとを有する選択画面を、案内情報の提供先となる端末に表示する手段と、▲２▼選択画面の表示に応答して、静的な情報の表示を指示するボタンが操作される場合に、そのボタンに対応付けられる提供対象に関しての静的な情報を取得して、案内情報の提供先となる端末に表示する手段と、▲３▼選択画面の表示に応答して、動的な情報の表示を指示するボタンが操作される場合に、そのボタンに対応付けられる提供対象に関しての動的な情報を取得して、案内情報の提供先となる端末に表示する手段とを備えるように構成する。
【００１３】
この構成を採るときに、静的な情報の１つとして、案内情報の全提供対象が関係する表形式の情報の中のどの箇所に、対応付けられる提供対象が関係しているのかについて記述する情報を含むことがある。
【００１４】
そして、この構成を採るときに、▲４▼案内情報の全提供対象が関係する表形式の情報を端末に表示する手段と、▲５▼表形式の情報の表示に応答して、表形式の情報上のある箇所が選択される場合に、その箇所に関係する提供対象を特定する手段と、▲６▼特定した提供対象に関しての静的な情報の表示を指示するボタンと、その提供対象に関しての動的な情報の表示を指示するボタンとを有する画面を、案内情報の提供先となる端末に表示する手段とを備えるように構成する。
【００１５】
以上の各処理手段が動作することで実現される本発明の案内情報提供方法はコンピュータプログラムで実現できるものであり、このコンピュータプログラムは、半導体メモリ等のような適当な記録媒体に記録して提供することができる。
【００１６】
このように構成される本発明の案内情報提供システムでは、先ず最初に、ネットワークを介して接続される端末に、上述の選択画面を表示する。
【００１７】
このとき表示する選択画面は、案内情報の提供対象の一覧を掲載するとともに、それぞれの提供対象に対応付けて設けられて、テキストで構成される提供対象に関しての静的な情報の表示を指示するボタンと、それぞれの提供対象に対応付けて設けられて、動画像で構成される提供対象に関しての動的な情報の表示を指示するボタンとを有する。
【００１８】
これから、この選択画面の表示を受けて、端末を操作するユーザは、ある提供対象の静的な情報を閲覧したいと考えるときには、選択画面の持つその提供対象に対応付けて用意される静的な情報の表示を指示するボタンを操作する。
【００１９】
本発明の案内情報提供システムでは、このボタン操作を検出すると、そのボタンに対応付けられる提供対象に関しての静的な情報（テキストで構成される）を取得して、端末に表示する。
【００２０】
一方、この選択画面の表示を受けて、端末を操作するユーザは、ある提供対象の動的な情報を閲覧したいと考えるときには、選択画面の持つその提供対象に対応付けて用意される動的な情報の表示を指示するボタンを操作する。
【００２１】
本発明の案内情報提供システムでは、このボタン操作を検出すると、そのボタンに対応付けられる提供対象に関しての動的な情報（動画像で構成される）を取得して、端末に表示する。
【００２２】
このようにして、本発明の案内情報提供システムでは、例えば、予備校や塾や英会話学校などのような各種学校が自校の講師を紹介（案内）する場合には、例えば講師の顔写真を使って講師の一覧を掲載するとともに、それぞれの講師に対応付けて、上述した２種類のボタン（但し、同じ種類について複数のボタンが用意されることがある）を有する選択画面を用意して、その用意する選択画面を端末に表示するように処理する。
【００２３】
そして、この選択画面の表示を受けて、ユーザがある講師の静的な情報の表示を要求する場合には、その講師のプロフィールやセールスポイントなどといったようなテキスト情報で構成される静的な情報を取得して端末に表示し、一方、ユーザがある講師の動的な情報の表示を要求する場合には、その講師が講義している光景などといったような動画像で構成される動的な情報を取得して端末に表示するように処理するのである。
【００２４】
このように、本発明によれば、テキスト情報を使って講師の詳細な情報を紹介する（視覚的な紹介よりも詳細かつ正確に紹介できる）とともに、テキスト情報では把握できないような情報については動画像を使って紹介するという効果的な紹介方法を実現できるようになることから、ユーザは関心のある講師の絞り込みを容易に実行できるようになるとともに、自分の受けたい講師を容易に選択できるようになる。
【００２５】
さらに、本発明の案内情報提供システムでは、静的な情報の１つとして、案内情報の全提供対象が関係するスケジュール情報などに係る表形式の情報の中のどの箇所に、対応付けられる提供対象が関係しているのかについて記述する情報を含めるようにしている。
【００２６】
そして、本発明の案内情報提供システムでは、この案内情報の全提供対象が関係するスケジュール情報などに係る表形式の情報を端末に表示して、その表示に応答して、表形式の情報上のある箇所が選択される場合には、その箇所に関係する提供対象を特定して、その特定した提供対象に関しての静的な情報の表示を指示するボタンと、その提供対象に関しての動的な情報の表示を指示するボタンとを有する画面を端末に表示するようにしている。
【００２７】
この機能が用意されることで、本発明の案内情報提供システムでは、例えば、予備校や塾や英会話学校などのような各種学校が自校の講師を紹介するときにあって、各講師ごとに、その講師の受け持つ講義が行われる期間や時間帯を端末に表示できるようになる。
【００２８】
そして、講義の時間割を端末に表示して、その表示に応答して、その時間割の中からある講義が選択される場合には、その選択された講義を受け持つ講師に関しての静的な情報／動的な情報の表示を指示するボタンを有する画面を端末に表示することで、その画面から、テキスト情報を使ってその講師の詳細な情報を紹介したり、動画像を使ってその講師が講義している光景などを紹介することができるようになる。
【００２９】
このようにして、本発明によれば、所定の案内情報をネットワークを介して接続される端末に提供するときにあって、ユーザに有用となる案内情報を効果的に提供できるようになるのである。
【００３０】
【発明の実施の形態】
以下、各種学校の講師陣の紹介を行うシステムに適用した実施の形態に従って本発明について詳細に説明する。
【００３１】
図１に、本発明を具備するシステムの全体構成を図示する。
【００３２】
この図に示すように、本発明を具備するシステムでは、本発明を実現すべく用意されるセンタシステム１とユーザの使用するユーザ側表示端末２とが、インターネットやＩＰネットワークなどの通信ネットワーク３を介して接続されている。
【００３３】
このように構成される本発明を具備するシステムは、例えば、図２に示すように、センタシステム１のシステム設備をＸ塾、Ｙ予備校、Ｚ学校が自営で持つ代わりに、ＡＳＰ（Ａｐｐｌｉｃａｔｉｏｎ　Ｓｅｒｖｉｃｅ　Ａｇｅｎｔ）　事業者が保有して、Ｘ塾、Ｙ予備校、Ｚ学校に対してシステム機能を提供することで、ユーザに対して学校の講師陣などの紹介情報を提供し、その見返りに、ＡＳＰ事業者は、Ｘ塾、Ｙ予備校、Ｚ学校からシステム機能使用料の支払いを受け取るというビジネスを実現可能にする。
【００３４】
図３に、センタシステム１のシステム構成の一例を図示する。
【００３５】
この図に示すように、センタシステム１では、Ｗｅｂサーバ１０と、各種のテキストデータを管理する仕組みであるデータベースサーバ（ＤＢサーバ）１１と、静止画像や動画像等のコンテンツを保存する仕組みであるコンテンツアーカイブ１２と、コンテンツをオーサリングしたり、所望のコンテンツを探索したり、テキストデータを生成したり、テキストデータを検索したりする処理を行う処理サーバ１３と、センタシステム１の作業用に用意される作業用端末１４と、通信ネットワーク３に接続するためのルータ１５とが、ＬＡＮ１６を介して接続されている。
【００３６】
図４に、センタシステム１に設けられるデータベースサーバ１１で管理する情報の一例を図示する。
【００３７】
この図に示すように、データベースサーバ１１は、ユーザ情報、講師情報、講義情報、時間割情報、ＦＡＱ情報（頻繁に尋ねられる質問の情報）、コンテンツのメタデータ等の情報を管理する。
【００３８】
この内の講師情報について詳細に説明するならば、図５に示すような管理テーブルを使って、講師に割り当てられるＩＤと対応をとりつつ、講師名、担当科目、担当講義、趣味、血液型、モットーなどのプロフィール情報を管理するという構成を採っている。
【００３９】
図６に、センタシステム１に設けられる処理サーバ１３の機能ブロック構成の一例を図示する。
【００４０】
処理サーバ１３は、コンテンツをオーサリングしたり、所望のコンテンツを探索したり、テキストデータを生成したり、テキストデータを検索したりする処理を行う。
【００４１】
処理サーバ１３は、この処理を行うために、図６に示すように、送信バッファ１３０と、受信バッファ１３１と、コンテンツ処理部１３２と、データ処理部１３３と、処理バッファ１３４と、制御部１３５とを備える。
【００４２】
この送信バッファ１３０および受信バッファ１３１は、他システムとの情報のやり取りの際に、通信速度と処理サーバ１３側の処理速度との速度差を調整するために設けられる。コンテンツ処理部１３２は、コンテンツをオーサリングしたり、所望のコンテンツを探索したりする処理を行う。
【００４３】
データ処理部１３３は、テキストデータを生成したり、テキストデータを検索したりする処理を行う。処理バッファ１３４は、コンテンツ処理部１３２やデータ処理部１３３での処理の過程でコンテンツや映像を一時的に格納するためのものとして用意される。制御部１３５は、コンテンツ処理部１３２やデータ処理部１３３での実行開始／終了の契機等を制御する。
【００４４】
この構成に従って、処理サーバ１３は、コンテンツをオーサリングしたり、所望のコンテンツを探索したり、テキストデータを生成したり、テキストデータを検索したりする処理を行うことになる。
【００４５】
次に、図７ないし図９に示す処理フローに従って、このように構成されるセンタシステム１の実行する各種学校の紹介処理（具体的には講師陣の紹介処理）について詳細に説明する。
【００４６】
センタシステム１は、ユーザ側表示端末２からの接続要求を受け取ると、図７ないし図９の処理フローに示すように、先ず最初に、ステップ１０で、そのユーザ側表示端末２に、紹介対象となる学校に対応付けて用意してある代表画面を表示する。このとき表示する代表画面では、ユーザがその学校に関しての各種の紹介情報を得るためのメニューを用意している。
【００４７】
これから、続くステップ１１で、この代表画面の表示に応答してユーザによりメニューが選択されるのを待って、メニューが選択されたことを検出すると、ステップ１２に進んで、講師陣紹介画面の表示を指示するメニューが選択されたのか否かを判断して、講師陣紹介画面の表示を指示するメニューが選択されたことを判断するときには、ステップ１３に進んで、接続要求元のユーザ側表示端末２に、図１０に示すような講師陣紹介画面を表示する。
【００４８】
このとき表示する講師陣紹介画面では、図１０に示すように、講師の顔写真を使って講師陣の一覧を掲載するとともに、各講師に対応付けて、その講師のプロフィールの紹介を指示する「プロフィール紹介ボタン」と、その講師の担当講義の紹介を指示する「担当講義紹介ボタン」と、その講師の講義風景の紹介を指示する「講義風景紹介ボタン」とを持つ。
【００４９】
これから、続いて、ステップ１４で、ユーザにより講師陣紹介画面の持つボタンが操作されるのを待って、ユーザにより講師陣紹介画面の持つボタンが操作されたことを検出すると、ステップ１５に進んで、ユーザにより「プロフィール紹介ボタン」が操作されたのか否かを判断する。
【００５０】
この判断処理に従って、「プロフィール紹介ボタン」が操作されたことを判断するときには、ステップ１６に進んで、データベースサーバ１１から、操作された「プロフィール紹介ボタン」の指す講師のプロフィール情報を取得して、接続要求元のユーザ側表示端末２に、そのプロフィール情報について掲載するプロフィール紹介画面を表示する。
【００５１】
ここで、このとき表示するプロフィール紹介画面では、コンテンツアーカイブ１２に保存される静止画像を掲載することもある。
【００５２】
そして、続くステップ１７で、表示したプロフィール紹介画面の持つ「画面終了ボタン」がユーザにより操作されたのか否かを判断して、「画面終了ボタン」が操作されないことを判断するときには、ステップ１６に戻ることでプロフィール紹介画面の表示を続行し、「画面終了ボタン」が操作されたことを判断するときには、ステップ１３に戻ることで講師陣紹介画面の表示に戻るように処理する。
【００５３】
一方、ステップ１５で、ユーザにより操作されたものが「プロフィール紹介ボタン」ではないことを判断するときには、ステップ１８に進んで、ユーザにより「担当講義紹介ボタン」が操作されたのか否かを判断する。
【００５４】
この判断処理に従って、「担当講義紹介ボタン」が操作されたことを判断するときには、ステップ１９に進んで、データベースサーバ１１から、操作された「担当講義紹介ボタン」の指す講師の担当講義情報（時間割の中のどの講義を担当しているのかといった情報）を取得して、接続要求元のユーザ側表示端末２に、その担当講義情報について掲載する担当講義紹介画面を表示する。
【００５５】
ここで、このとき表示する担当講義紹介画面では、コンテンツアーカイブ１２に保存される静止画像を掲載することもある。
【００５６】
そして、続くステップ２０で、表示した担当講義紹介画面の持つ「画面終了ボタン」がユーザにより操作されたのか否かを判断して、「画面終了ボタン」が操作されないことを判断するときには、ステップ１９に戻ることで担当講義紹介画面の表示を続行し、「画面終了ボタン」が操作されたことを判断するときには、ステップ１３に戻ることで講師陣紹介画面の表示に戻るように処理する。
【００５７】
一方、ステップ１８で、ユーザにより操作されたものが「担当講義紹介ボタン」ではないことを判断するときには、ステップ２１に進んで、ユーザにより「講義風景紹介ボタン」が操作されたのか否かを判断する。
【００５８】
この判断処理に従って、「講義風景紹介ボタン」が操作されたことを判断するときには、ステップ２２に進んで、コンテンツアーカイブ１２から、操作された「講義風景紹介ボタン」の指す講師の講義風景（動画像で構成されている）を取得して、接続要求元のユーザ側表示端末２に、その動画像で構成されている講義風景についての画面を表示する。
【００５９】
すなわち、図１１に示すように、動画像で構成される講義風景を表示するように処理するのである。
【００６０】
そして、続くステップ２３で、表示した講義風景画面の持つ「画面終了ボタン」がユーザにより操作されたのか否かを判断して、「画面終了ボタン」が操作されないことを判断するときには、ステップ２２に戻ることで講義風景画面の表示を続行し、「画面終了ボタン」が操作されたことを判断するときには、ステップ１３に戻ることで講師陣紹介画面の表示に戻るように処理する。
【００６１】
一方、ステップ２１で、ユーザにより操作されたものが「講義風景紹介ボタン」ではないことを判断するときには、ステップ２４に進んで、ユーザにより講師陣紹介画面の持つ「代表画面への戻りボタン」が操作されたのか否かを判断する。
【００６２】
この判断処理に従って、講師陣紹介画面の持つ「代表画面への戻りボタン」が操作されたことを判断するときには、ステップ１０に戻ることで代表画面の表示に戻るように処理する。
【００６３】
一方、ステップ２４で、ユーザにより操作されたものが講師陣紹介画面の持つ「代表画面への戻りボタン」ではないことを判断するときには、ステップ２５に進んで、操作されたボタンの指示する処理を行ってから、ステップ１３に戻ることで講師陣紹介画面の表示に戻るように処理する。
【００６４】
一方、ステップ１２で、ユーザにより代表画面のメニューが選択されたときにあって、その選択されたメニューが講師陣紹介画面の表示を指示するメニューではないことを判断するときには、ステップ２６に進んで、その選択されたメニューが時間割紹介画面の表示を指示するメニューであるのか否かを判断する。
【００６５】
この判断処理に従って、ユーザにより時間割紹介画面の表示を指示するメニューが選択されたことを判断するときには、ステップ２７に進んで、接続要求元のユーザ側表示端末２に、講義の時間割について掲載する時間割紹介画面を表示する。
【００６６】
この時間割紹介画面では、講義の時間割の他に、各講義を担当する講師が誰であるのかを掲載して、その時間割の中の講義がクリックされる場合（ボタン操作される場合）には、その講義を担当する講師についての紹介要求が発行されたものとして扱うようにしている。
【００６７】
これから、続いて、ステップ２８で、ユーザにより時間割紹介画面の持つボタンが操作されるのを待って、ユーザにより時間割紹介画面の持つボタンが操作されたことを検出すると、ステップ２９に進んで、ユーザによりある講師についての紹介要求が発行されたのか否かを判断して、この講師紹介要求が発行されたことを判断するときには、ステップ３０に進んで、接続要求元のユーザ側表示端末２に、図１２に示すような形で、その紹介要求に係る講師についての講師紹介画面を表示する。
【００６８】
このとき表示する講師紹介画面では、図１２に示すように、紹介要求のあった講師のプロフィールの紹介を指示する「プロフィール紹介ボタン」と、その講師の担当講義の紹介を指示する「担当講義紹介ボタン」と、その講師の講義風景の紹介を指示する「講義風景紹介ボタン」とを持つ。
【００６９】
これから、続いて、ステップ３１で、上述したステップ１４〜ステップ２５と同様の処理を実行することで、講義の時間割から選択された講師についてのプロフィール情報や担当講義情報や動画像で構成される講義風景情報を取得して、接続要求元のユーザ側表示端末２に表示してから、ステップ２７に戻ることで時間割紹介画面の表示に戻るように処理する。
【００７０】
一方、ステップ２９で、ユーザにより操作されたものが講師紹介要求の発行でないことを判断するときには、ステップ３２に進んで、ユーザにより時間割紹介画面の持つ「代表画面への戻りボタン」が操作されたのか否かを判断する。
【００７１】
この判断処理に従って、時間割紹介画面の持つ「代表画面への戻りボタン」が操作されたことを判断するときには、ステップ１０に戻ることで代表画面の表示に戻るように処理する。
【００７２】
一方、ステップ３２で、ユーザにより操作されたものが時間割紹介画面の持つ「代表画面への戻りボタン」ではないことを判断するときには、ステップ３３に進んで、操作されたボタンの指示する処理を行ってから、ステップ２７に戻ることで時間割紹介画面の表示に戻るように処理する。
【００７３】
そして、ステップ２６で、時間割紹介画面の表示を指示するメニュー以外のメニューが選択されたことを判断するときには、ステップ３４に進んで、その選択されたメニューの指示する処理を行ってから、ステップ１０に戻ることで代表画面の表示に戻るように処理する。
【００７４】
このようにして、センタシステム１は、予備校や塾や英会話学校などのような各種学校が自校の講師を紹介する場合に、各講師のプロフィールやセールスポイントなどといったような情報をテキストを使って紹介するとともに、各講師が講義している光景などのようにテキストでは的確に表現できないような情報については動画像を使って紹介するように処理するのである。
【００７５】
そして、センタシステム１は、各講師の受け持つ講義が行われる期間や時間帯をユーザ側表示端末２に表示することで、講師の選定という観点から講義の選定の糸口を与える他に、講義の時間割という観点から講義の選定の糸口を与えることができるようにするために、講義の時間割の中からある講義が選択される場合に、その選択された講義を受け持つ講師に関してのプロフィールやセールスポイントや講義している光景などを紹介するように処理するのである。
【００７６】
図示実施形態例に従って本発明を説明したが、本発明はこれに限定されるものではない。例えば、実施形態例では、各種学校の講師陣の紹介を具体例して本発明を説明したが、これはあくまで一例であって、例えば、ある温泉町の旅館の紹介といったように、本発明は様々な案内情報の提供に対してそのまま適用できるものである。
【００７７】
【発明の効果】
以上説明したように、本発明によれば、所定の案内情報をネットワークを介して接続される端末に提供するときにあって、ユーザに有用となる案内情報を効果的に提供できるようになる。
【００７８】
例えば、本発明を使って各種学校の講師陣の紹介を行うようにすれば、ユーザは、受講を検討している段階で、講義もしくは担当の講師の講義の仕方について、動画像を通じて情報を把握することができるようになる。
【００７９】
このようにして、生徒側が適切な選択をする確率が高くなるので、生徒側にとっても納得のいく選択がしやすくなり、結果として、学校側にとっても生徒の定着率の向上、ひいては収入源の安定確保という状況につなげやすくなる。
【図面の簡単な説明】
【図１】本発明を具備するシステムの全体構成である。
【図２】本発明を具備するシステムにより実現されるビジネスの説明図である。
【図３】センタシステムのシステム構成の一例である。
【図４】データベースサーバの管理する情報の説明図である。
【図５】データベースサーバの管理する講師情報の説明図である。
【図６】処理サーバの機能ブロック構成図である。
【図７】センタシステムの実行する処理フローの一実施形態例である。
【図８】センタシステムの実行する処理フローの一実施形態例である。
【図９】センタシステムの実行する処理フローの一実施形態例である。
【図１０】講師陣紹介画面の説明図である。
【図１１】動画像で構成される講義風景の表示画面の説明図である。
【図１２】講師紹介画面の説明図である。
【符号の説明】
１　　センタシステム
２　　ユーザ側表示端末
３　　通信ネットワーク
１０　Ｗｅｂサーバ
１１　データベースサーバ
１２　コンテンツアーカイブ
１３　処理サーバ
１４　作業用端末
１５　ルータ
１６　ＬＡＮ
【図１】
2004054533.tif 000003
【図２】
2004054533.tif 000004
【図３】
2004054533.tif 000005
【図４】
2004054533.tif 000006
【図５】
2004054533.tif 000007
【図６】
2004054533.tif 000008
【図７】
2004054533.tif 000009
【図８】
2004054533.tif 000010
【図９】
2004054533.tif 000011
【図１０】
2004054533.tif 000012
【図１１】
2004054533.tif 000013
【図１２】
2004054533.tif 000014